(57)【特許請求の範囲】
【請求項１】
照明器具と、照明器具の点灯状態を制御する制御信号を送信するリモコンと、を有し、緊急時の人が避難するための誘導路を表示する機能を持つ緊急時誘導型照明システムであって、
緊急情報を検知する緊急情報検知部と、
この緊急情報検知部により検知された緊急情報に応じて緊急信号を送信する緊急信号送信部と、を備え、
前記リモコンは、緊急時の誘導路との対応で配置されると共に、前記緊急信号を受信する緊急信号受信部と、この緊急信号に応じて電池を電源として発光する発光部と、を備えていることを特徴とする緊急時誘導型照明システム。
【請求項２】
前記リモコンは、緊急信号受信部が受信する緊急信号に応じて、他のリモコンに緊急信号を転送する緊急信号転送部を備えたことを特徴とする請求項１に記載の緊急時誘導型照明システム。
【請求項３】
前記リモコンは、緊急信号受信部が受信する緊急信号に応じて、照明器具の点灯状態を制御する点灯制御信号を送信する制御信号送信部を備えたことを特徴とする請求項１又は請求項２に記載の緊急時誘導型照明システム。
【請求項４】
前記リモコンは、緊急信号受信部が受信する緊急信号に応じて、当該リモコンからの制御を通常時には受けていない非常灯に対する点灯制御信号を送信する非常灯点灯信号送信部を備えたことを特徴とする請求項１乃至請求項３のいずれかに記載の緊急時誘導型照明システム。
【発明の詳細な説明】
【技術分野】
【０００１】
本発明は、照明器具と、照明器具の点灯状態を制御する制御信号を送信するリモコンと、を有する緊急時誘導型照明システムに関するものである。
【背景技術】
【０００２】
従来から、緊急時に家庭内機器を制御することで、避難をしやすくするシステムが知られている。例えば、特許文献１には、自然災害発生時等の緊急時に、ホームネットワークを介して、家庭内機器を制御する緊急制御装置が開示されている。この装置は、放送局から送信された緊急警報放送を受信する受信手段と、この受信手段によって受信した緊急警報放送を蓄積する蓄積手段と、この蓄積手段によって蓄積した緊急警報放送を解析する警報解析手段と、この警報解析手段によって解析した解析結果に基づいて、ホームネットワークを介して、家庭内機器を制御する家庭内機器制御手段と、を備え、放送局からの緊急警報放送を受信するための専用の受信機を用いなくとも、通常のアナログ放送やデジタル放送の受信機を用いて、スタンバイ状態のテレビ、ラジオの機器の電源を投入し、緊急警報放送チャンネルにチューニングさせ、家庭内の各部屋において緊急警報放送を受信可能とするものである。
【０００３】
また、特許文献２には、自然災害発生時等の緊急時に、非常信号を受けて点灯する照明スタンド型器具の照明システムが開示されている。この装置は、商用電源と内蔵する二次電池によりランプ負荷を点灯させることのできる照明スタンド型器具と、地震や火事などの非常事態において非常信号を発信する発信手段とから構成され、緊急時には、二次電池を内蔵し、携帯が可能な照明スタンドによって避難を容易にするものである。
【特許文献１】特開２００３−１８６７３号公報
【特許文献２】特開平７−１５３３０１号公報
【発明の開示】
【発明が解決しようとする課題】
【０００４】
しかしながら、上述した特許文献１に示されるような緊急制御装置においては、スタンバイ状態にある家庭内器具を制御するものであるから、家庭内器具に通常用いられる電力が供給されていることが必要である。一方、大規模災害時には停電する場合もあり、この場合には、家庭内器具の制御が不可能となるものであるから、十分な緊急警報の連絡が行われない可能性もある。また、大規模災害ではない場合であっても、住宅内のブレーカが停止する場合もあり、この場合にも、同様の可能性がある。さらに、大規模災害や住宅内のブレーカが停止する場合には、緊急時には緊急警報の内容を把握するよりも、まずは住宅からの脱出経路を確保することが適切である場合も多い。
【０００５】
また、上述した特許文献２に示されるような緊急制御装置においては、装置が大掛かりで高価となり容易には導入し難く、また、照明スタンドは通常は室内に配置されていることから、緊急時に避難経路が直ぐに照明されるものではないため、緊急避難に適しているものとは言えない。
【０００６】
本発明は、上記問題を解消するものであり、大規模災害や住宅内のブレーカが停止することにより停電した場合であっても、住居からの脱出経路を確保することができ、また容易にシステム導入が可能な緊急時誘導型照明システムを提供することを目的とする。
【課題を解決するための手段】
【０００７】
上記課題を解決するために、請求項１の発明は、照明器具と、照明器具の点灯状態を制御する制御信号を送信するリモコンと、を有し、緊急時の人が避難するための誘導路を表示する機能を持つ緊急時誘導型照明システムであって、緊急情報を検知する緊急情報検知部と、この緊急情報検知部により検知された緊急情報に応じて緊急信号を送信する緊急信号送信部と、を備え、前記リモコンは、緊急時の誘導路との対応で配置されると共に、前記緊急信号を受信する緊急信号受信部と、この緊急信号に応じて電池を電源として発光する発光部と、を備えたものである。
請求項２の発明は、請求項１に記載の緊急時誘導型照明システムにおいて、前記リモコンは、緊急信号受信部が受信する緊急信号に応じて、他のリモコンに緊急信号を転送する緊急信号転送部を備えたものである。
請求項３の発明は、請求項１又は２に記載の緊急時誘導型照明システムにおいて、前記リモコンは、緊急信号受信部が受信する緊急信号に応じて、照明器具の点灯状態を制御する点灯制御信号を送信する制御信号送信部を備えたものである。
また請求項４に記載された発明は、請求項１乃至請求項３のいずれかに記載の緊急時誘導型照明システムにおいて、前記リモコンは、緊急信号受信部が受信する緊急信号に応じて、当該リモコンからの制御を通常時には受けていない非常灯に対する点灯制御信号を送信する非常灯点灯信号送信部を備えたものである。
【発明の効果】
【０００８】
請求項１の発明によれば、大規模災害や住宅内のブレーカが停止して停電したとしても、緊急信号に応じてリモコンの発光部が電池駆動により発光するので、リモコンが、緊急時の人の避難用誘導路に対応して、例えば各部屋の間仕切り扉近傍や廊下に設置されていることで、住居からの脱出経路が表示され、確保される。また、システム構成は簡単であり、容易かつ安価にシステムを導入することができる。
請求項２の発明によれば、緊急信号を受信したリモコンから離れた位置にある他のリモコンにも緊急信号を送信するので、発光するリモコンの領域が拡大し、より確実に住宅からの脱出経路を確保することができる。
請求項３の発明によれば、電力が供給されている照明器具を点灯させることができるので、さらに確実に住宅からの脱出経路を確保することができる。
請求項４の発明によれば、非常用足元灯のように、停電時にしか点灯しないものを、緊急信号に応じて点灯させることができるので、一層確実に住宅からの脱出経路を確保することができる。
【発明を実施するための最良の形態】
【０００９】
以下、本発明を具体化した緊急時誘導型照明システムの実施形態について図面を参照して説明する。
（第１の実施形態）
図１は、第１の実施形態に係る緊急時誘導型照明システムの構成を示す。この照明システムは、照明器具１と、この照明器具１の点灯状態を制御する制御信号を送信する照明器具リモコン２（以下、リモコンという）と、緊急情報、例えば、地震発生を検知する地震検知装置３と、を備える。照明器具１は、住居家屋内の室内や廊下等に個々に設置され、商用電源により駆動される。この照明器具１は、リモコン２からの点灯状態を制御する信号を受信する受信部１１と、この受信部１１による受信信号に応じて点灯制御する照明器具制御部１２と、この制御部１２により点灯制御される照明部１３とを備える。照明器具１は主として商用電源で駆動される。
【００１０】
リモコン２は、緊急時の誘導路との対応で、例えば各部屋の間仕切り扉近傍や廊下に設置され、緊急信号受信部２１と、リモコン制御部２２と、照明器具１に対する制御信号を送信する送信部２３と、リモコン制御部２２により発光制御されるＬＥＤ２４（発光部）から構成される。このリモコン２は、電池を内蔵し、ＬＥＤ２４を含む各部は電池で駆動される。地震検知装置３は、振動検知部３１（緊急情報検知部）と、この振動検知部３１からの検知信号（緊急信号）を受ける検知装置制御３２と、緊急信号を送信する緊急信号送信部３３とを備える。地震検知装置３は商用電源又は電池で駆動される。地震検知装置３が地震を検知すると、緊急信号をリモコン２に送信する。リモコン２は、通常、その操作に応じて照明器具１に対して点灯制御信号を送信する。
【００１１】
次に、地震が発生したときの本システムの動作を説明する。地震発生により振動検知部３１が地震を検知すると、検知された情報は検知装置制御部３２へ送られる。そして、検知装置制御部３２の制御により緊急信号送信部３３から緊急信号が送信される。緊急信号の媒体は、例えば、赤外線を用いればよい。その緊急信号は、リモコン２の受信部２１により受信され、リモコン制御部２２へ送られる。リモコン制御部２２の制御によりＬＥＤ２４が点灯する。これにより、緊急時に、住居からの脱出経路が表示され、居住者は、この点灯の明かりに誘導されて避難することができる。本システムは、地震検知装置３に代えて、停電検知装置を用いた構成であってもよく、その場合は、停電検知時に、同等の作用が得られる。
【００１２】
図２には、本実施形態に係るシステムの具体的構成での地震発生時の動作イメージを示す。図２において図１と同じ部材には同一番号を付している（以下、同様）。照明器具１が室内や廊下、階段に配置されており、それらの照明器具１のリモコン２が壁に配置されている。地震が発生すると、地震検知装置３が振動を検知し、緊急信号を送信する。そして、室内や廊下、階段に配置された照明器具１の各リモコン２はその緊急信号を受信してＬＥＤを点灯させる。ＬＥＤは電池で点灯するので、たとえ地震によって商用電源が停電していても点灯する。このＬＥＤの点灯によって屋外へ避難することができる。
【００１３】
（第２の実施形態）
図３は、本発明の第２の実施形態に係る緊急時誘導型照明システムの構成を示す。本実施形態のシステムは、前述の第１の実施形態のシステム構成に加えて複数のリモコン２を備えている。同図では、照明器具の図示を省いている。リモコン２及び地震検知装置３の構成は第１の実施形態と同等である。地震が発生したときは、前述の第１の実施形態と同様に地震検知装置３から緊急信号が送信される。その緊急信号は、リモコン２の受信部２１により受信され、リモコン制御部２２へ送られる。リモコン制御部２２の制御によりＬＥＤ２４が点灯するとともに、送信部２３（緊急信号転送部）より、緊急信号受信部２１が受信したのと同じ緊急信号を転送する。その緊急信号を他のリモコン２が受信し、同様にＬＥＤ２４を点灯させるとともに、緊急信号を転送する。こうして、地震検知装置３から送信された緊急信号を直接に受信できない、地震検知装置３から離れたリモコン２は、転送された緊急信号を受信することにより、ＬＥＤ２４を点灯させることができ、避難が容易となる。
【００１４】
図４には、第２の実施形態に係るシステムの具体的構成での地震発生時の動作イメージを示す。地震が発生すると、地震検知装置３が振動を検知し、緊急信号を送信する。リモコン２は緊急信号を受信してＬＥＤを点灯させるとともに、受信したのと同じ緊急信号を送信部より発信する。緊急信号は複数のリモコン２に次から次へと転送される。こうして、地震検知装置３から離れているために緊急信号を直接に受信できないリモコン２もＬＥＤを点灯させることができ、点灯するリモコン２の領域が拡大し確実に住宅からの脱出経路を満遍なく照らすことができ避難が容易となる。
【００１５】
（第３の実施形態）
図５は、本発明の第３の実施形態に係る緊急時誘導型照明システムの構成を示す。本実施形態のシステムは、前述の第１の実施形態のシステム構成と同等である。本実施形態では、地震が発生してリモコン２が緊急信号を受信したとき、照明器具１を点灯させる点灯信号を送信するところが前述の第１の実施形態と相違する。すなわち、地震が発生すると、地震検知装置３から緊急信号が送信される。その緊急信号は、リモコン２の受信部２１により受信され、リモコン制御部２２へ送られる。リモコン制御部２２の制御によりＬＥＤ２４が点灯するとともに、送信部２３（制御信号送信部）より、点灯制御信号を送信する。点灯制御信号は照明器具１の受信部１１で受信され、照明器具制御部１２へ送られる。そして、照明器具制御部１２の制御により照明部１３が点灯する。照明部１３は、例えば蛍光灯を用いればよい。こうして、照明器具１の照明により容易に避難することができる。
【００１６】
図６には、第３の実施形態に係るシステムの具体的構成での地震発生時の動作イメージを示す。地震が発生すると、地震検知装置３が振動を検知し、緊急信号を送信する。室内や廊下、階段に配置された照明器具１の各リモコン２は緊急信号を受信してＬＥＤを点灯させるとともに、それぞれの照明器具１に点灯制御信号を送信する。通電している照明器具１は点灯制御信号を受信して点灯する。よって、可能な限りの光源を点灯でき、通路の明るさがより確保できる。
【００１７】
（第４の実施形態）
図７は、本発明の第４の実施形態に係る緊急時誘導型照明システムの構成を示す。本実施形態のシステムは、地震検知装置３と、リモコン２と、非常灯４より構成され、地震検知装置３及びリモコン２の構成は、第１の実施形態と同等である。非常灯４は、受信部４１と、非常灯制御部４２と、非常灯照明部４３とを有する。非常灯４は、通常時にはリモコン２より点灯状態の制御を受けていない。地震が発生したときに、前述の第１の実施形態と同様に地震検知装置３から緊急信号が送信される。その緊急信号は、リモコン２の受信部２１により受信され、リモコン制御部２２へ送られる。リモコン制御部２２の制御によりＬＥＤ２４が点灯するとともに、送信部２３（非常等点灯制御信号送信部）より、点灯制御信号を送信する。点灯制御信号の媒体は、例えば、赤外線を用いればよい。点灯制御信号は非常灯４の受信部４１で受信され、非常灯制御部４２へ送られる。そして、非常灯制御部４２の制御により非常灯照明部４３が点灯する。非常灯照明部４３は、例えば蛍光灯を用いればよい。こうして、非常灯４の照明により容易に避難することができる。
【００１８】
図８には、第４の実施形態に係るシステムの具体的構成での地震発生時の動作イメージを示す。地震が発生すると、地震検知装置３が振動を検知し、緊急信号を送信する。各リモコン２は緊急信号を受信してＬＥＤを点灯させるとともに、非常灯４に点灯制御信号を送信する。そして、非常灯４は点灯制御信号を受信して、電池駆動であれば停電時にも点灯することができ、また、商用電源での駆動であっても停電していなければ点灯する。これにより、通路の明るさがより確保できる。
【００１９】
なお、本発明は、上記実施形態の構成に限られることなく種々の変形が可能である。例えば、緊急信号装置として、実施形態では地震検知装置を挙げたが、停電検知装置や火災検知装置などの緊急避難に必要な情報を検知するものなら何でもよい。また、緊急放送などを検知するものでもよい。緊急信号装置からの緊急信号や、リモコンからの緊急信号及び点灯制御信号については赤外線以外の有線、無線などでもよい。また、リモコンの発光部についても有機ＥＬ、豆球や液晶などのＬＥＤ以外の発光するものでもよい。また、緊急信号装置の設置場所は屋内でも屋外であっても構わない。
【図面の簡単な説明】
【００２０】
【図１】本発明の第１の実施形態に係る緊急時避難型照明システムの構成図。
【図２】同システムの具体的構成での動作イメージの説明図。
【図３】本発明の第２の実施形態に係る緊急時避難型照明システムの構成図。
【図４】同システムの具体的構成での動作イメージの説明図。
【図５】本発明の第３の実施形態に係る緊急時避難型照明システムの構成図。
【図６】同システムの具体的構成での動作イメージの説明図。
【図７】本発明の第４の実施形態に係る緊急時避難型照明システムの構成図。
【図８】同システムの具体的構成での動作イメージの説明図。
【符号の説明】
【００２１】
１    照明器具
１１  受信部
１２  照明器具制御部
１３  照明部
２    リモコン
２１  緊急信号受信部
２２  リモコン制御部
２３  送信部
２４  ＬＥＤ（発光部）
３    地震検知装置
３１  振動検知部（緊急情報検知部）
３２  検知装置制御部
３３  緊急信号送信部
４    非常灯
４１  受信部
４２  非常灯制御部
４３  非常灯照明部
【図１】
0004613840.tif 000002
【図３】
0004613840.tif 000003
【図５】
0004613840.tif 000004
【図７】
0004613840.tif 000005
【図２】
0004613840.tif 000006
【図４】
0004613840.tif 000007
【図６】
0004613840.tif 000008
【図８】
0004613840.tif 000009